(57)【特許請求の範囲】
【請求項１】
回転蓋（２）と、
缶蓋（Ｄ）に設けられ、前記回転蓋（２）が接続されるリベット（５）と、
を備えた飲料用缶のシール具であって、
前記回転蓋（２）は前記飲料用缶の開口出口部（７）の上側を開位置から閉位置へ、またその逆方向に回転可能であり、前記回転蓋（２）の少なくとも一部は湾曲スナップディスク（Ｓ）として形成され、前記湾曲スナップディスク（Ｓ）は蓋周縁部（９）に垂直な力を加えることにより変位可能であり、前記力を加えることにより、前記湾曲スナップディスク（Ｓ）があるトリガー点を越えると安定な第１湾曲状態から安定な第２湾曲状態へと湾曲し、前記第２湾曲状態は、前記回転蓋（２）の外周端部（１０）が、前記開口出口部（７）を画定する前記蓋周縁部（９）に対して所定の閉鎖力で押圧される状態であり、前記湾曲スナップディスク（Ｓ）は、力を再度加えることにより、前記第２湾曲状態から前記第１湾曲状態へと戻り、
缶蓋を開けるための押し込み用タブ（１）が、前記回転蓋（２）の上側で、前記回転蓋（２）と同じく前記缶蓋（Ｄ）の前記リベット（５）に接続され、且つ押し込み用先端部（６）を有し、
前記押し込み用タブ（１）が前記押し込み用先端部（６）の反対側の端部において引き起こされて前記缶蓋（Ｄ）に対して支持係止され、前記回転蓋は、前記支持係止された押し込み用タブ（１）の前記押し込み用先端部（６）によって、前記開口出口部（７）を画定する前記蓋周縁部（９）に対して保持されることを特徴とする飲料用缶のシール具。
【請求項２】
請求項１記載の飲料用缶のシール具において、少なくとも前記第２湾曲状態では、前記回転蓋（２）は前記開口出口部（７）を画定する前記蓋周縁部（９）の上側又は下側にわずかに延在しているか、又は、前記回転蓋（２）は前記蓋周縁部（９）に張り出しているか、又は前記蓋周縁部（９）の周囲に広がっていることを特徴とする飲料用缶のシール具。
【請求項３】
請求項１又は２記載の飲料用缶のシール具において、前記回転蓋（２）は固定用タブ（８）によって前記リベット（５）に取り付けられ、前記固定用タブ（８）は、前記湾曲スナップディスク（Ｓ）からみて前記リベット（５）を超えるように延在して、前記湾曲スナップディスク（Ｓ）の反対側で操作部（１５）となることを特徴とする飲料用缶のシール具。
【請求項４】
請求項１〜３のいずれか１項に記載の飲料用缶のシール具において、支持部材（３）が、前記押し込み用先端部（６）の反対側の前記押し込み用タブ（１）の端部にヒンジ付けされ、前記開口出口部（７）を押し開け且つ前記回転蓋（２）を前記開口出口部（７）を覆うように回転させた際、前記支持部材（３）は、前記缶蓋（Ｄ）に設けられた係止部（４）に対して、下側に向かって係止可能であり、前記押し込み用先端部の反対側の前記押し込み用タブ（１）の端部を引き起こすことによって、前記閉位置にある前記回転蓋（２）が、前記押し込み用タブ（１）の前記押し込み用先端部（６）によって、前記開口出口部（７）を画定する前記蓋周縁部（９）に対して押圧されることを特徴とする飲料用缶のシール具。
【請求項５】
請求項４記載の飲料用缶のシール具において、前記支持部材（３）と前記押し込み用タブ（１）は、単一の部材で構成され、前記支持部材（３）は、部分的に前記押し込み用タブから切り離され、且つ／又は前記支持部材（３）は、折り返し端によって、前記リベット（５）に対して反対側の端部において、前記押し込み用タブ（１）に接続され、且つ／又は前記支持部材（３）の長さは、前記押し込み用タブ（１）の長さの略半分よりも小さく且つ前記押し込み用タブ（１）の長さの略３分の１よりも大きく、且つ／又は前記押し込み用タブ（１）の鏡面に対する角度は、係止位置においては３０度〜４５度であることを特徴とする飲料用缶のシール具。
【請求項６】
請求項３〜５のいずれか１項に記載の飲料用缶のシール具において、前記押し込み用タブ（１）は、前記固定用タブ（８）によって、前記リベット（５）に取り付けられ、前記固定用タブは、前記押し込み用タブの部材から部分的に切り離されていることを特徴とする飲料用缶のシール具。
【請求項７】
請求項４〜６のいずれか１項に記載の飲料用缶のシール具において、前記リベット（５）及び／又は前記係止部（４）は、前記缶蓋（Ｄ）と同一の部材から構成されることを特徴とする飲料用缶のシール具。
【請求項８】
請求項１〜７のいずれか１項に記載の飲料用缶のシール具において、前記回転蓋（２）の前記外周端部（１０）と、前記開口出口部（７）を画定する前記蓋周縁部（９）は、圧力嵌合（ｐｒｅｓｓｕｒｅ  ｆｉｔｔｉｎｇ）するように形成されることを特徴とする飲料用缶のシール具。
【請求項９】
請求項１〜８のいずれか１項に記載の飲料用缶のシール具において、前記缶蓋（Ｄ）は、前記回転蓋（２）の底部に設けられた突起部（１２）を保持するガイド溝（１１）を有することを特徴とする飲料用缶のシール具。
【請求項１０】
請求項１〜９のいずれか１項に記載の飲料用缶のシール具において、前記回転蓋（２）は、前記リベット（５）の近傍に、又は前記リベット（５）と並んで、又は前記押し込み用先端部（６）の反対側に、補強用波状部分（１３）を有することを特徴とする飲料用缶のシール具。
【請求項１１】
請求項１〜１０のいずれか１項に記載の飲料用缶のシール具において、前記缶蓋（Ｄ）は、前記回転蓋（２）を係止位置におくためのリミットストッパ（１４）を有することを特徴とする飲料用缶のシール具。
【請求項１２】
請求項１〜１１のいずれか１項に記載の飲料用缶のシール具において、前記回転蓋（２）の少なくとも一部は、シーリング材でコーティングされることを特徴とする飲料用缶のシール具。
【請求項１３】
請求項１〜１２のいずれか１項に記載の飲料用缶のシール具において、前記回転蓋（２）の前記外周端部（１０）は、把持し易くするための１以上のフィン状部材または同様の構造部材を有することを特徴とする飲料用缶のシール具。
【請求項１４】
請求項１〜１３のいずれか１項に記載の飲料用缶のシール具において、前記缶蓋（Ｄ）の厚さは０．１〜０．３ｍｍであり、及び／又は前記押し込み用タブ（１）の厚さは０．１５〜０．３５ｍｍであり、及び／又は前記回転蓋（２）の厚さは０．０５〜０．１５ｍｍであることを特徴とする飲料用缶のシール具。
【請求項１５】
請求項１４記載の飲料用缶のシール具において、前記缶蓋（Ｄ）の厚さは０．２２４ｍｍであり、及び／又は前記押し込み用タブ（１）の厚さは０．２６５ｍｍであり、及び／又は前記回転蓋（２）の厚さは０．１ｍｍであることを特徴とする飲料用缶のシール具。
【請求項１６】
請求項１又は２記載の飲料用缶のシール具において、前記回転蓋（２）に、前記湾曲スナップディスク（Ｓ）の反対側であって且つ前記リベット（５）を超える位置まで延在する操作部（１５）が設けられていないことを特徴とする飲料用缶のシール具。
【請求項１７】
請求項１〜１６のいずれか１項に記載の飲料用缶のシール具を有する缶蓋。
【請求項１８】
請求項１７記載の缶蓋を有する缶。
【発明の詳細な説明】
【技術分野】
【０００１】
本発明は、開口出口部の上側で、缶蓋に設けられたリベットを中心に開位置から閉位置へ及びその逆方向へ回転可能な回転蓋に基づいた、飲料用缶のシール具に関する。
【発明の概要】
【発明が解決しようとする課題】
【０００２】
本発明は、シーリング機能及び使い易さにおいて、飲料用缶のシール具を改善することを目的とする。
【課題を解決するための手段】
【０００３】
この目的のため、回転蓋の少なくとも一部は、湾曲スナップディスクとして形成され、前記湾曲スナップディスクは、蓋面に垂直な力を加えることにより変位可能であり、前記力を加えることにより、前記湾曲スナップディスクがあるトリガー点を越えると安定な第１湾曲状態から安定な第２湾曲状態へと湾曲し、前記第２湾曲状態は、前記回転蓋の外周端部が、前記開口出口部を画定する蓋周縁部に対して、増大した閉鎖圧力で押圧する状態である。前記スナップディスクは、力を再度加えた後、前記第１湾曲状態へ戻る（スナップアクション効果）。増大した閉鎖圧力は、例えば、回転蓋の第２湾曲状態における第１湾曲状態よりも湾曲を小さくして、外径を第１湾曲状態よりもわずかに大きく設定することで実現できる。
【０００４】
第２湾曲状態では、例えば、開口出口部を画定する蓋周縁部領域が溝形状の場合、回転蓋は、缶蓋の上側に又は下側にわずかに延在するか、又は缶蓋と係合してもよい。
【０００５】
前記回転蓋は固定用タブによって前記リベットに取り付けられ、前記固定用タブは前記スナップディスクからみて前記リベットを超えるように延在して、前記スナップディスクの反対側で操作部となることは、スナップディスクの操作にとって好適である。
【０００６】
また、本発明は、缶蓋を開けるための押し込み用タブをさらに備え、前記押し込み用タブは、前記回転蓋の上側で、回転蓋が取り付けられている前記リベットに接続される。前記回転蓋がシーリング位置にある場合、前記押し込み用タブを、前記押し込み用タブの押し込み用先端部反対側の端部において引き起こして前記缶蓋に対して支持係止する際、前記回転蓋は、前記支持係止された押し込み用タブの前記押し込み用先端部によって、前記開口出口部を画定する前記蓋周縁部に対して保持される。
【０００７】
支持部材が、前記押し込み用先端部の反対側の前記押し込み用タブの端部にヒンジ付けされ、前記開口出口部が押し開けられ且つ前記回転蓋を前記開口出口部を覆うように回転させた際、前記支持部材は、前記缶蓋の係止部に対して、下側に向かって係止可能であり、前記押し込み用先端部の反対側の前記押し込み用タブの端部を引き起こすことによって、前記閉位置にある前記回転蓋が、前記押し込み用タブの前記押し込み用先端部によって、前記開口出口部を画定する前記蓋周縁部に対して押圧される場合、回転蓋は、シーリング位置で特に確実に保持されることができる。これにより、閉位置にある回転蓋と缶蓋との間で確実なシールを行うことができる。
【０００８】
上述の支持部材は、押し込み用タブと同一の部材で構成されることが好ましく、該同一部材から部分的に切り離すことで簡単に作製される。支持部材を押し込み用タブに対してある角度で保持し易くするため、支持部材は、折り返し端によって、前記リベットに対して反対側の端部において前記押し込み用タブに接続されてもよい。前記支持部材の長さを前記押し込み用タブの長さの略半分よりも小さく且つ前記押し込み用タブの長さの略３分の１よりも大きくすることによって、押し込み用タブをシーリング位置に効果的に係止させることができる。缶蓋における係止部は、押し込み用タブの下側に、例えば、リブ又は溝の形態で設けられることが好ましく、本発明では、押し込み用タブの端部から見て押し込み用タブの長さの略半分から３分の１の間の場所に配置される。閉且つ係止位置では、引き起こされた押し込み用タブが缶蓋面となす角度は、３０度〜４５度が好ましい。
【０００９】
前記押し込み用タブは、前記押し込み用タブから部分的に切り離されて形成された前記固定用タブによって前記リベットに取り付けられてもよい。
【００１０】
簡単に製造するため、前記リベット及び／又は前記係止部は前記缶蓋の部材から成形されてもよい。
【００１１】
さらに、前記缶蓋は、前記回転蓋の底部に設けられた突起部を保持するガイド溝を有してもよい。これにより、回転蓋を、開口出口部からみて後方となる開位置から、前方となる閉位置へ確実に動かすことができる。したがって、操作性が向上する。
【００１２】
また、前記回転蓋は、前記リベットの近傍に又は前記リベットと並んで、或いは前記押し込み用先端部の反対側に、補強用波状部分を有してもよい。これにより、これら領域における応力を吸収することができる。
【００１３】
前記缶蓋は、前記回転蓋をシーリング位置におくためのリミットストッパをさらに有してもよい。これにより、開口出口部をより容易に閉じることができる。
【００１４】
前記回転蓋の少なくとも一部を、例えば、周縁部領域の内側を、シーリング材でコーティングする場合、シーリング機能をさらに改善することが可能となる。
【００１５】
前記回転蓋の前記外周端部に、回転させる際に回転蓋を把持し易くするため、１以上のフィン状部材または同様の把持部材を設ける場合、操作がより容易になる。
【００１６】
前記缶蓋の厚さは好ましくは０．１〜０．３ｍｍであり、特に略０．２２４ｍｍであり、及び前記押し込み用タブの厚さは好ましくは０．１５〜０．３５ｍｍであり、特に略０．２６５ｍｍであり、及び前記回転蓋の厚さは好ましくは０．０５〜０．１５ｍｍであり、特に略０．１ｍｍであるように材料を設定すると好適である。前記材料は、圧延アルミニウムが可能であり、可能であれば、クリアラッカーが塗布されるとよい。
【００１７】
また、本発明は、上述のシール具を有する缶蓋に関する。さらに、本発明は、上記のように構成された缶蓋を有する飲料用缶に関する。
【００１８】
本発明の他の目的、特徴、効果及び応用は、以下の詳細な説明を添付図面と参照して読むことで明らかになるであろう。ここで記載され、及び／又は図示される全ての構成要件は、各々単独で又は組合せにおいて本発明の一部であり、請求項又は参照文献の文言とは独立したものである。
【図面の簡単な説明】
【００１９】
【図１ａ】図１ａは、スナップディスクが閉位置且つ第１湾曲状態にある本発明に係る飲料用缶の蓋シール具の平面図、断面図及び詳細断面図である。
【図１ｂ】図１ｂは、第２湾曲状態にある回転蓋のスナップディスク及び、図１ａで示される第１湾曲状態から第２湾曲状態へと回転蓋のスナップディスクを変位させる操作を示す図１ａに沿った形式の飲料用缶の蓋シール具の平面図、断面図及び詳細断面図である。
【図１ｃ】図１ｃは、図１ｂに沿った形式の飲料用缶の蓋シール具の平面図、断面図及び詳細断面図である。
【図１ｄ】図１ｄは、スナップディスクの第２湾曲状態から第１湾曲状態への変位動作を、図１ｃとの関係で示す図１ａに沿った形式の飲料用缶の蓋シール具の平面図、断面図及び詳細断面図である。
【図２ａ】図２ａは、回転蓋が閉位置にあり且つ支持部材が係止位置にある、略円筒状の缶体に取り付けられた本発明に係る他のシーリングシステムの概略側面図である。
【図２ｂ】図２ｂは、回転蓋が開位置にある缶蓋の平面図である。
【発明を実施するための形態】
【００２０】
図１ａ〜図１ｄに係るシーリングシステムによって、押し込み式開口部（ｐｒｅｓｓ−ｉｎ  ｏｐｅｎｉｎｇｓ）として構成された開口出口部を有する飲料用缶を再度封止することが可能となる。缶蓋Ｄは、例えば、略円筒状の缶体Ｋの上部に常時固定され、リベット５を有する。リベット５には、回転蓋２が回転可能に取り付けられる。従って、回転蓋２は、開口出口部７の上側を開位置から閉位置へ、またその逆方向に回転させることができる。図１ａ〜図１ｄは全て、開口出口部７の上側にある、閉位置にある回転蓋２を示す。開口出口部７は、例えば、缶蓋材料における予め脆弱化されたラインを通じて、予め押し開けられている。
【００２１】
回転蓋２の少なくとも一部は、湾曲スナップディスクＳとして形成される。湾曲スナップディスクＳは、蓋鏡面に垂直な力を加えることにより動かされる。すなわち、力を加えることにより、湾曲スナップディスクＳがあるトリガー点を通り過ぎると安定な第１湾曲状態から安定な第２湾曲状態へと動く。ここで、第２湾曲状態とは、回転蓋２の外周端部１０が、開口出口部７を画定する蓋周縁部９に対して所定の閉鎖圧で当接する状態とする。該ディスクは、図１ａ〜図１ｄに示されるように力を再度加えることによって、第１湾曲状態に戻ることができる。図１ａ〜図１ｄは、スナップディスクＳが開口出口部の主部分を覆い、またスナップディスクＳが開口出口部７の内周端部に適合した外形を有する実施形態を示す。この場合、開口出口部７は円形である。
【００２２】
回転蓋２は、開口出口部７の蓋周縁部９とわずかに重なる。図１ａと図１ｂを比較すると、図１ａでは回転蓋２のスナップディスク領域は開口出口部７に対してわずかな遊びをもって嵌合しているが、図１ｂに示すように、下側に湾曲した後では、スナップディスク領域は、開口出口部７を画定する蓋周縁部９に対して、全周にわたり強固に押圧している。
【００２３】
回転蓋２は、固定用タブ８によって缶蓋Ｄのリベット５に取り付けられる。固定用タブ８は、スナップディスクＳから見てリベット５を超えるように延在し、スナップディスクＳとは反対側に操作部１５を形成する。図１ｃと図１ｄとを比較するとわかるように、上側から操作部１５を押圧することにより、スナップディスクＳは、密閉シール状態である第２湾曲状態から第１湾曲状態へと変位し、回転蓋２を容易に開口出口部７から離間回転させることができる。
【００２４】
図２ａ及び図２ｂに示される本発明に係るシーリングシステムは、押し込み式開口部として形成された開口出口部７を有する飲料用缶をより確実に再密閉するため使用することが可能である。缶蓋Ｄは、例えば、略円筒状の缶体Ｋの上部に常時固定され、通常は押し込み用タブ１を有する。押し込み用タブ１は、固定用タブ８によって、缶蓋Ｄから成形されたリベット５に接続される。回転蓋２も同じリベット５に取り付けられる。従って、押し込み用タブ１の開口出口部７の反対側の端部を引き上げ、前方の押し込み用先端部６で予め脆弱化された蓋領域を押圧することによって、開口出口部７を開けた後、回転蓋２をリベット５中心に回転させて、閉位置に動かすことができる。回転蓋２の底部にある突起部１２を缶蓋Ｄにあるガイド溝１１に沿って缶蓋Ｄのリミットストッパ１４まで移動させながら、回転蓋２を図２ｂで示す開位置から図１に示す閉位置に回転させた後、押し込み用タブ１の外周側端部にヒンジ付けされた支持部材３を缶蓋Ｄの方向に曲げて、缶蓋Ｄの係止部４における係止位置に移動させることができる。この係止位置では、押し込み用タブ１が、閉位置にある回転蓋２を押し込み用先端部６で押圧し、押し込み用タブ１及び支持部材３の弾性力により、開口出口部７を画定する蓋周縁部９に対して回転蓋２を固定する。このようにして、十分な密閉が行われる。
【００２５】
図１では、回転蓋２の一部は湾曲スナップディスクＳとして形成されることが点線によって示される。湾曲スナップディスクＳは、蓋面に垂直な力を加えることにより動かされる。すなわち、力を加えることにより、湾曲スナップディスクＳがあるトリガー点を通り過ぎると安定な上側湾曲状態から安定な下側湾曲状態へと動く。ここで、下側湾曲状態とは、回転蓋の外周端部１０が、開口出口部７を画定する蓋周縁部９に対して他の湾曲状態よりも大きい力で押圧して密閉する状態とする。初期位置におけるスナップディスクＳの上側湾曲を、安定な第２湾曲状態におけるスナップディスクＳの下側湾曲よりも強く設定してもよい。その場合、第２湾曲状態における回転蓋２の直径は、スナップディスクが上側に湾曲している第１湾曲状態の直径よりもわずかに大きくなる。回転蓋のスナップディスク領域を、蓋面に対して垂直に再度押すと、スナップディスクＳは、上側に湾曲する初期位置に戻ることができる。
【００２６】
飲料用缶から飲む際、虫やほこりが缶の中に入らないように、缶を再度シールすることができる。シールが確実のため、例えば、缶をリュックサックに詰めた場合、残っている飲料が漏れることもない。押し込み用タブをわずかに横に回転させて、支持部材３を係止部４から離間させることよって、缶を再度開けることができる。スナップディスクＳを、上側湾曲となる初期位置に変位させれば、回転蓋２を開位置に回転させることができる。
【００２７】
上述の実施形態では、開口出口部７及びそれに嵌合する回転蓋２は円形である。しかしながら、楕円、台形、可能であれば角が丸い台形、又はその他の形状であってもよい。また、特に、回転蓋２は、外周側端部１０に１以上のフィン状部材又は把持部材を有してもよい（図示せず）。これにより、回転させる際に回転蓋２が把持しやすくなる。
【００２８】
押し込み用タブ１の厚さは、缶蓋Ｄよりもわずかに小さくてもよい。さらに、回転蓋２の厚さは、缶蓋Ｄよりもわずかに大きくてもよい。
【符号の説明】
【００２９】
１…押し込み用タブ                ２…回転蓋
３…支持部材                      ４…係止部
５…リベット                      ６…押し込み用先端部
７…開口出口部                    ８…固定用タブ
９…蓋周縁部                      １０…回転蓋の外周端部
１１…ガイド溝                    １２…突起部
１３…補強用波状部分              １４…リミットストッパ
１５…操作部                      Ｄ…缶蓋
Ｆ…印加される力                  Ｋ…缶体
Ｓ…スナップディスク
【図１ａ】
0005579171.tif 000002
【図１ｂ】
0005579171.tif 000003
【図１ｃ】
0005579171.tif 000004
【図１ｄ】
0005579171.tif 000005
【図２ａ】
0005579171.tif 000006
【図２ｂ】
0005579171.tif 000007